(57)【要約】【課題】局舎間光ファイバの健全性を容易に確認することが可能な光ファイバ監視システムを提供する。【解決手段】第１の局舎２と第２の局舎３とを接続する局舎間光ファイバ４を監視する光ファイバ監視システムであって、第１の局舎２に設けられ、局舎間光ファイバ４の一端が光学的に接続されている第１の可視化パネル５と、第２の局舎３に設けられ、局舎間光ファイバ４の他端が光学的に接続されている第２の可視化パネル６と、第１の局舎２に設けられ、局舎間光ファイバ４に監視光を入射するための監視用光源７２と、を備え、第１の可視化パネル５は、監視用光源７２から局舎間光ファイバ４に入射される監視光の一部を漏洩させ、漏洩光の光量を検知する第１の光検知部５５を有し、第２の可視化パネル６は、局舎間光ファイバ４からの光の一部を漏洩させ、漏洩光の光量を検知する第２の光検知部を有している。【選択図】図１
2018072281.tif 000002
【特許請求の範囲】
【請求項１】
第１の局舎と第２の局舎とを接続する局舎間光ファイバを監視する光ファイバ監視システムであって、
前記第１の局舎に設けられ、前記局舎間光ファイバの一端が光学的に接続されている第１の可視化パネルと、
前記第２の局舎に設けられ、前記局舎間光ファイバの他端が光学的に接続されている第２の可視化パネルと、
前記第１の局舎に設けられ、前記局舎間光ファイバに監視光を入射するための監視用光源と、を備え、
前記第１の可視化パネルは、前記監視用光源から前記局舎間光ファイバに入射される監視光の一部を漏洩させ、漏洩光の光量を検知する第１の光検知部を有し、
前記第２の可視化パネルは、前記局舎間光ファイバからの光の一部を漏洩させ、漏洩光の光量を検知する第２の光検知部を有している、
光ファイバ監視システム。
【請求項２】
前記第１の可視化パネルは、前記局舎間光ファイバの一端の光コネクタが接続される複数の第１の光コネクタ差し込み口を有し、
前記第１の光コネクタ差し込み口を介して前記第１の可視化パネルに接続される前記局舎間光ファイバと同数の複数の前記監視用光源を備えている、
請求項１に記載の光ファイバ監視システム。
【請求項３】
前記第１の可視化パネルは、前記局舎間光ファイバの一端の光コネクタが接続される複数の第１の光コネクタ差し込み口と、前記第１の光コネクタ差し込み口と光学的に接続された複数の第２の光コネクタ差し込み口と、を有し、
前記監視用光源の数が、前記第１の光コネクタ差し込み口を介して前記第１の可視化パネルに接続される前記局舎間光ファイバの数よりも少なく、
前記監視用光源からの監視光を複数の前記第２の光コネクタ差し込み口に分配する光分配器を備えた、
請求項１に記載の光ファイバ監視システム。
【請求項４】
前記第１の可視化パネルは、前記局舎間光ファイバの一端の光コネクタが接続される複数の第１の光コネクタ差し込み口と、前記第１の光コネクタ差し込み口と光学的に接続された複数の第２の光コネクタ差し込み口と、を有し、
前記監視用光源の数が、前記第１の光コネクタ差し込み口を介して前記第１の可視化パネルに接続される前記局舎間光ファイバの数よりも少なく、
前記監視用光源からの監視光と複数の前記第２の光コネクタ差し込み口の光結合先を切替える光スイッチを備えた、
請求項１に記載の光ファイバ監視システム。
【請求項５】
前記第１及び第２の可視化パネルで検出した漏洩光の光量を基に、前記局舎間光ファイバの状態を監視する監視装置を備え、
前記第１及び第２の可視化パネルは、通信ケーブルが接続される通信ポートと、前記通信ポートを介して漏洩光の光量の信号を前記監視装置に送信する送信部と、をそれぞれ有する、
請求項１乃至４の何れか１項に記載の光ファイバ監視システム。
【請求項６】
前記第１の局舎内に設置された第１のラックを備え、
前記第１のラックに、前記第１の可視化パネルと、前記監視用光源を搭載した光源パネルと、が設置されている、
請求項１乃至５の何れか１項に記載の光ファイバ監視システム。
【請求項７】
前記第１のラックに、前記第１の可視化パネルに接続される光ファイバの配線を整えるための整線パネルが設置されている、
請求項６に記載の光ファイバ監視システム。
【請求項８】
前記第１の可視化パネルは、前記局舎間光ファイバの一端の光コネクタが接続される複数の第１の光コネクタ差し込み口と、前記第１の光コネクタ差し込み口と光学的に接続された複数の第２の光コネクタ差し込み口と、を有し、
前記第１の局舎に設けられ、前記第２の光コネクタ差し込み口を前記監視用光源と光学的に接続するか、あるいは、前記第２の光コネクタ差し込み口を前記第１の局舎の実回線に接続するかを切替可能な光スイッチをさらに備えた、
請求項１乃至７の何れか１項に記載の光ファイバ監視システム。
【請求項９】
前記第２の局舎に設けられ、前記局舎間光ファイバから前記第２の可視化パネルを介して出力された監視光の光量の初期値を測定するための初期値測定用光パワーメータをさらに備えた、
請求項１乃至８の何れか１項に記載の光ファイバ監視システム。
【発明の詳細な説明】
【技術分野】
【０００１】
本発明は、光ファイバ監視システムに関する。
【背景技術】
【０００２】
データセンタ等の局舎間には、局舎間光ファイバ（光ファイバケーブル）が敷設されており、この局舎間光ファイバを介して局舎間の光通信が行われている。
【０００３】
局舎間光ファイバは屋外に設置されているため、風雨等の影響によって局所的な曲がりや断線等の不具合が発生するおそれがある。そのため、局舎間光ファイバの健全性（不具合の有無）を定期的に検査することが行われている。また、未使用状態（在庫状態）の局舎間光ファイバを使用状態に切り替える際にも、局舎間光ファイバの健全性を検査することが行われている。
【０００４】
なお、この出願の発明に関連する先行技術文献情報としては、特許文献１がある。
【先行技術文献】
【特許文献】
【０００５】
【特許文献１】特開２０１５−２００７０７号公報
【発明の概要】
【発明が解決しようとする課題】
【０００６】
しかしながら、局舎間光ファイバの健全性を検査する際には、局舎間光ファイバが接続されている２つの局舎のそれぞれに作業者が赴き、使用を開始する局舎間光ファイバの光損失を測定する等して不具合の有無を確認する必要があり、非常に手間がかかるという課題があった。
【０００７】
そこで、本発明は、局舎間光ファイバの健全性を容易に確認することが可能な光ファイバ監視システムを提供することを目的とする。
【課題を解決するための手段】
【０００８】
本発明は、上記課題を解決することを目的として、第１の局舎と第２の局舎とを接続する局舎間光ファイバを監視する光ファイバ監視システムであって、前記第１の局舎に設けられ、前記局舎間光ファイバの一端が光学的に接続されている第１の可視化パネルと、前記第２の局舎に設けられ、前記局舎間光ファイバの他端が光学的に接続されている第２の可視化パネルと、前記第１の局舎に設けられ、前記局舎間光ファイバに監視光を入射するための監視用光源と、を備え、前記第１の可視化パネルは、前記監視用光源から前記局舎間光ファイバに入射される監視光の一部を漏洩させ、漏洩光の光量を検知する第１の光検知部を有し、前記第２の可視化パネルは、前記局舎間光ファイバからの光の一部を漏洩させ、漏洩光の光量を検知する第２の光検知部を有している、光ファイバ監視システムを提供する。
【発明の効果】
【０００９】
本発明によれば、局舎間光ファイバの健全性を容易に確認することが可能な光ファイバ監視システムを提供できる。
【図面の簡単な説明】
【００１０】
【図１】本発明の一実施の形態に係る光ファイバ監視システムの概略構成を示す図であり、（ａ）は局舎間光ファイバが使用されていない状態、（ｂ）は局舎間光ファイバが使用されている状態を示す図である。
【図２】（ａ）は第１のラックの外観を示す図、（ｂ）は第２のラックの外観を示す図である。
【図３】第１の可視化パネルを示す図であり、（ａ）は斜視図、（ｂ）は分解斜視図である。
【図４】第１の光検知部の概略構成を示すブロック図である。
【図５】（ａ）は図１の光ファイバ監視システムに用いる光源パネルの概略構成を示す図であり、（ｂ），（ｃ）はその一変形例を示す図である。
【図６】本発明の一変形例に係る光ファイバ監視システムの概略構成を示す図である。
【発明を実施するための形態】
【００１１】
［実施の形態］
以下、本発明の実施の形態を添付図面にしたがって説明する。
【００１２】
図１は、本実施の形態に係る光ファイバ監視システムの概略構成を示す図であり、（ａ）は局舎間光ファイバが使用されていない状態、（ｂ）は局舎間光ファイバが使用されている状態を示す図である。また、図２（ａ）は第１のラックの外観を示す図、図２（ｂ）は第２のラックの外観を示す図である。
【００１３】
図１及び図２に示すように、光ファイバ監視システム１は、第１の局舎２と第２の局舎３とを接続する局舎間光ファイバ４を監視するものである。第１の局舎２と第２の局舎３は、例えばデータセンタ（あるいはデータセンタを含む建物）である。
【００１４】
第１の局舎２と第２の局舎３とは、複数本の局舎間光ファイバ４により通信可能に接続されている。ここでは、両局舎２，３間を接続する局舎間光ファイバ４の本数を１０００本とした。局舎間光ファイバ４としては、長距離伝送に好適なシングルモード光ファイバを用いる。局舎間光ファイバ４の長さは、例えば最大で８０ｋｍ程度である。
【００１５】
光ファイバ監視システム１は、第１の局舎２に設けられ、局舎間光ファイバ４の一端が光学的に接続されている第１の可視化パネル５と、第２の局舎３に設けられ、局舎間光ファイバ４の他端が光学的に接続されている第２の可視化パネル６と、第１の局舎２に設けられ、局舎間光ファイバ４に監視光を入射するための監視用光源７２を搭載した光源パネル７と、を備えている。
【００１６】
（第１の局舎２の説明）
第１の可視化パネル５は、基本的に通信の有無を検知し表示するものであるが、本実施の形態では、光量を検知し送信する機能をさらに有している。
【００１７】
具体的には、第１の可視化パネル５は、局舎間光ファイバ４の一端の光コネクタ４１が接続される複数の第１の光コネクタ差し込み口５１と、該第１の光コネクタ差し込み口５１と光学的に接続された複数の第２の光コネクタ差し込み口５２と、を有している。詳細は後述するが、第２の光コネクタ差し込み口５２には、光源パネル７から延びる光源接続用光ファイバ９の一端の光コネクタ９１（図１（ａ）参照）、あるいは中継パネル８から延びる実回線接続用光ファイバ１０の一端の光コネクタ１０１（図１（ｂ）参照）が接続される。
【００１８】
図３（ａ），（ｂ）に示すように、本実施の形態では、第２の光コネクタ差し込み口５２として、２つの差し込み口を一体にした２連型のＬＣ光コネクタ（光レセプタクル）を用いている。また、本実施の形態では、第１の光コネクタ差し込み口５１として、ＭＰＯコネクタ（レセプタクル）を用いている。第２の光コネクタ差し込み口５２は第１の可視化パネル５の前面に、第１の光コネクタ差し込み口５１は第１の光コネクタ差し込み口５１の背面に整列して設けられている。
【００１９】
本実施の形態では、第１の可視化パネル５は、４つの可視化モジュール５３と、マスター基板用モジュール５４とを組み合わせて構成されている。各可視化モジュール５３は、１２個の第２の光コネクタ差し込み口５２と、共通の（１２回線用の）１つの第１の光コネクタ差し込み口５１とを有しており、各第２の光コネクタ差し込み口５２と第１の光コネクタ差し込み口５１とが、可視化モジュール５３の内部で光学的に接続されている。つまり、本実施の形態では、１つの第１の可視化パネル５で４８回線に対応可能となっている。
【００２０】
各可視化モジュール５３は、第１の可視化パネル５の背面側に設けられた配線基板５６に図示しない電気コネクタを介して接続されている。同様に、マスター基板用モジュール５４は、配線基板５６に電気コネクタ５４１を介して接続されており、各可視化モジュール５３とマスター基板用モジュール５４とが、配線基板５６を介して接続されている。
【００２１】
第１の可視化パネル５は、監視用光源７２から局舎間光ファイバ４に入射される監視光の一部を漏洩させ、漏洩光の光量を検知する第１の光検知部５５を有している。
【００２２】
図４に示すように、第１の光検知部５５は、第１の光コネクタ差し込み口５１と第２の光コネクタ差し込み口５２間を伝送される光の一部を漏洩させる光漏洩部５５１と、光漏洩部５５１で漏洩した漏洩光を検出する受光素子としてのＰＤ（フォトダイオード）５５２と、ＰＤ５５２の電流信号を電圧信号に変換し増幅する増幅器５５３と、増幅器５５３で増幅した電圧信号をデジタル信号に変換するＡ／Ｄコンバータ５５４と、を備えている。Ａ／Ｄコンバータ５５４でデジタル信号に変換された光量の信号は、配線基板５６を介してマスター基板用モジュール５４に搭載された送信部５４２に送信される。光漏洩部５５１の具体的な構成は特に限定するものではないが、例えば、第２の光コネクタ差し込み口５２内に設けられコア径の異なる光ファイバ同士を融着接続した融着接続部からなる光漏洩部５５１を用いることができる。なお、図４では、１回線分の第１の光検知部５５のみを示しているが、回線毎（第２の光コネクタ差し込み口５２毎）に第１の光検知部５５が設けられる。
【００２３】
図３（ａ），（ｂ）に戻り、第１の光検知部５５は、漏洩光を検出した際に発光により通信の有無を表示する表示部５５５を有している。本実施の形態では、表示部５５５は発光ダイオードからなる。表示部５５５は、第２の光コネクタ差し込み口５２と１対１で対応するように、各第２の光コネクタ差し込み口５２の上方にそれぞれ設けられている。
【００２４】
図３（ｂ）に示すように、マスター基板用モジュール５４には、図示しない通信ケーブルが接続される通信ポート５４３が設けられている。送信部５４２は、通信ポート５４３を介して、各可視化モジュール５３から受信した光量の信号を監視装置１１（図１）に送信する。なお、送信部５４２が送信する光量の信号は、漏洩光の光量（光強度）であってもよいし、漏洩光の光量から求めた監視光の光量（光強度）であってもよい。
【００２５】
光源パネル７は、第１の光コネクタ差し込み口５１を介して第１の可視化パネル５に接続される局舎間光ファイバ４と同数の複数の監視用光源７２を内蔵していると共に、監視用光源７２と同数の光源側光コネクタ差し込み口７１を有している。光源側光コネクタ差し込み口７１は、光源パネル７の前面に設けられている。
【００２６】
監視用光源７２としては、光ファイバの屈曲による損失が比較的大きい光（つまり波長の長い光）を用いることが望ましい。より具体的には、監視用光源７２としては、波長１５００ｎｍ以上の監視光を出射するものを用いることが望ましい。本実施の形態では、監視用光源７２として１５５０ｎｍの監視光を出射するものを用いた。
【００２７】
図１（ａ）に示すように、局舎間光ファイバ４が未使用状態であるときには、光源接続用光ファイバ９の一端の光コネクタ（ＬＣコネクタ）９１が第１の可視化パネル５の第２の光コネクタ差し込み口５２に接続され、光源接続用光ファイバ９の他端の光コネクタ（ＬＣコネクタ）９２が光源パネル７の光源側光コネクタ差し込み口７１に接続される。図１（ａ）では１つの差し込み口５２，７１のみを示しているが、全ての差し込み口５２，７１同士が光源接続用光ファイバ９により接続される。また、図２（ａ）では、図の簡略化のため光源接続用光ファイバ９を省略している。
【００２８】
これにより、光源パネル７の各監視用光源７２から出射された監視光は、光源接続用光ファイバ９を介して第１の可視化パネル５に入射され、第１の可視化パネル５の背面側（第１の光コネクタ差し込み口５１）から局舎間光ファイバ４に出力されることになる。また、このとき、第１の可視化パネル５の第１の光検知部５５にて監視光（漏洩光）の光量が検知され、監視装置１１へと送信される。なお、図１（ａ）では光源接続用光ファイバ９のコネクタ９１，９２が第１の可視化パネル５及び光源パネル７に直接接続されているが、可視化パネル５と光源パネル７は直接接続されている必要はなく、例えば、中継パネル等を介して接続されていてもよい。
【００２９】
本実施の形態では、第１の局舎２内に設置された第１のラック２１を備えており、この第１のラック２１に、第１の可視化パネル５と、監視用光源７２を搭載した光源パネル７と、が設置されている。なお、第１の可視化パネル５と光源パネル７とを別のラックに設置してもよいが、その場合、光源接続用光ファイバ９を長くする必要が生じ、配線作業が煩雑になるおそれがある。
【００３０】
図２（ａ）に示すように、本実施の形態では、１つの第１のラック２１に第１の可視化パネル５と光源パネル７を７対設置しており、１つの第１ラック２１で３３６回線に対応している。図１（ａ），（ｂ）では省略しているが、第１の局舎２内には、図２（ａ）と同様の第１のラック２１が３つ備えられており、１０００本の局舎間光ファイバ４に対応可能とされている。なお、局舎間光ファイバ４の数や、第１のラック２１の数、第１のラック２１に設置する第１の可視化パネル５や光源パネル７の数、及び各可視化パネル５の回線数（第２の光コネクタ差し込み口５２の数）などは、あくまで一例であり、図示のものに限定されない。
【００３１】
また、本実施の形態では、第１のラック２１には、複数（少なくとも３３６回線分）の中継パネル８が搭載されている。中継パネル８の裏面には、第１の局舎２内の実回線である局舎内配線が接続される実回線接続用コネクタ８１が設けられ、中継パネル８の表面には、実回線接続用コネクタ８１と光学的に接続された複数の可視化パネル側光コネクタ差し込み口８２が設けられている。
【００３２】
図１（ｂ）に示すように、局舎間光ファイバ４を使用している状態においては、実回線接続用光ファイバ１０の一端の光コネクタ（ＬＣコネクタ）１０１を第１の可視化パネル５の第２の光コネクタ差し込み口５２に接続し、実回線接続用光ファイバ１０の他端の光コネクタ（ＬＣコネクタ）１０２を中継パネル８の可視化パネル側光コネクタ差し込み口８２に接続する。これにより、局舎内配線が、中継パネル８、実回線接続用光ファイバ１０、第１の可視化パネル５を介して局舎間光ファイバ４に接続されることになる。なお、中継パネル８を介さずに直接局舎内配線を第１の可視化パネル５に接続してもよい。
【００３３】
また、本実施の形態では、第１のラック２１には、第１の可視化パネル５の第２の光コネクタ差し込み口５２に接続される光ファイバ（光源接続用光ファイバ９や実回線接続用光ファイバ１０）の配線を整えるための整線パネル１２が設置されている。本実施の形態では、第１の可視化パネル５と光源パネル７の１対につき１つの整線パネル１２を設け、２つの中継パネル８につき１つの整線パネル１２を設けているが、整線パネル１２の数は適宜変更可能である。整線パネル１２を備えることで、配線がまとめられるため配線作業が容易になると共に、外観の向上を図ることができる。
【００３４】
さらに、本実施の形態では、第１のラック２１の最下方には、ネットワークスイッチ１３が設置されている。ネットワークスイッチ１３には、各第１の可視化パネル５の通信ポート５４３（図３（ｂ）参照）から延出された通信ケーブル（不図示）がそれぞれ接続されている。
【００３５】
さらにまた、図示していないが、第１の局舎２には、サーバが設置されている。サーバは、通信ケーブルを介してネットワークスイッチ１３と接続されており、各第１の可視化パネル５からネットワークスイッチ１３を介して受信した光量の信号を、広域ネットワーク等のネットワークを介して監視装置１１に送信する。
【００３６】
（第２の局舎３の説明）
第２の可視化パネル６としては、上述の第１の可視化パネル５と同じものを用いることができる。第２の可視化パネル６は、局舎間光ファイバ４の他端の光コネクタ４２が接続される複数の第３の光コネクタ差し込み口６１と、該第３の光コネクタ差し込み口６１と光学的に接続された複数の第４の光コネクタ差し込み口６２と、を有している。第３の光コネクタ差し込み口６１は、ＭＰＯコネクタのレセプタクルであり、第４の光コネクタ差し込み口６２は、２つの差し込み口を一体にした２連型のＬＣ光コネクタ（光レセプタクル）である。第４の光コネクタ差し込み口６２は第２の可視化パネル６の前面に、第３の光コネクタ差し込み口６１は第２の光コネクタ差し込み口６１の背面に設けられている。また、第２の可視化パネル６は、局舎間光ファイバ４からの光の一部を漏洩させ、漏洩光の光量を検知する第２の光検知部（不図示）を有している。第２の光検知部は、図４にて説明した第１の光検知部５５と同じ構成であるため、説明を省略する。
【００３７】
図２（ｂ）に示すように、第２の局舎３内には、第２のラック３１が備えられており、この第２のラック３１に、７個の第２の可視化パネル６が設置されている。つまり、１つの第２ラック３１で３３６回線に対応している。図１（ａ），（ｂ）では省略しているが、第２の局舎３内には、図２（ｂ）と同様の構成の第２のラック３１が３つ備えられ、１０００本の局舎間光ファイバ４に対応可能とされている。
【００３８】
また、第２のラック３１には、複数（少なくとも３３６回線分）の中継パネル１５が搭載されている。中継パネル１５の裏面には、第２の局舎３内の実回線である局舎内配線が接続される実回線接続用コネクタ１５１が設けられ、中継パネル１５の表面には、実回線接続用コネクタ１５１と光学的に接続された複数の可視化パネル側光コネクタ差し込み口１５２が設けられている。
【００３９】
図１（ａ）に示すように、局舎間光ファイバ４が未使用状態であるときには、第２の可視化パネル６の第４の光コネクタ差し込み口６２は開放される。
【００４０】
また、図１（ｂ）に示すように、局舎間光ファイバ４を使用している状態においては、実回線接続用光ファイバ１６の一端の光コネクタ（ＬＣコネクタ）１６１を第２の可視化パネル５の第４の光コネクタ差し込み口６２に接続し、実回線接続用光ファイバ１６の他端の光コネクタ（ＬＣコネクタ）１６２を中継パネル１５の可視化パネル側光コネクタ差し込み口１５２に接続する。これにより、局舎内配線が、中継パネル１５、実回線接続用光ファイバ１６、第２の可視化パネル６を介して局舎間光ファイバ４に接続されることになる。
【００４１】
また、本実施の形態では、第２のラック３１には、第２の可視化パネル６と中継パネル１５とを接続する実回線接続用光ファイバ１６の配線を整えるための整線パネル１２が設置されている。本実施の形態では、２つの中継パネル１５につき１つの整線パネル１２を設けている。
【００４２】
さらに、本実施の形態では、第２のラック３１の最下方には、ネットワークスイッチ１７が設置されている。ネットワークスイッチ１７には、各第２の可視化パネル６の通信ポート（不図示）から延出された通信ケーブル（不図示）が接続されている。
【００４３】
さらにまた、図示していないが、第２の局舎３には、サーバが設置されている。サーバは、通信ケーブルを介して第２のラック３１に設置されたネットワークスイッチ１７と接続されており、各第２の可視化パネル６からネットワークスイッチ１７を介して受信した光量の信号を、広域ネットワーク等のネットワークを介して監視装置１１に送信する。
【００４４】
また、本実施の形態では、第２のラック３１には、局舎間光ファイバ４から第２の可視化パネル６を介して出力された監視光（漏洩光）の光量の初期値を測定するための初期値測定用光パワーメータ１４をさらに備えている。監視光の光量の初期値を測定する際には、初期値測定用光パワーメータ１４から延びる光ファイバ（不図示）を、第２の可視化パネル６の第４の光コネクタ差し込み口６２に順次差し込み測定を行うとよい。なお、初期値測定用光パワーメータ１４は必須ではなく、省略可能である。
【００４５】
（監視装置１１の説明）
監視装置１１は、第１及び第２の可視化パネル５，６で検出した各回線の監視光（漏洩光）の光量を一括管理し、各回線の光量を基に、局舎間光ファイバ４の状態（健全性）を監視するものである。監視装置１１は、例えば、任意の回線における第１の可視化パネル５で検出した光量と第２の可視化パネル６で検出した光量との差（光量差）と、予め設定した閾値とを比較することで、当該回線での局舎間光ファイバ４の健全性を判断する。監視装置１１は、上述の光量差が閾値以下となったときに警報を発するように構成されてもよい。また、複数の閾値範囲を設定しておき、上述の光量差がいずれの閾値範囲に属するかを管理者に通知するように監視装置１１を構成してもよい。
【００４６】
本実施の形態では、第１及び第２の局舎２，３内に設けられるサーバとは別に監視装置１１を備えたが、第１及び第２の局舎２，３内に設けられるサーバのいずれか一方を監視装置１１として用いてもよい。
【００４７】
また、監視装置１１は、可視化パネル５，６の表示部５５５の発光を制御する機能を有していてもよい。これにより、例えば、回線使用開始時に接続切替を行う光コネクタ差し込み口５２，６２に対応する表示部５５５を発光（例えば通信の有無を表示する色と異なる色で発光）させて、誤接続や光ファイバの誤抜去等の不具合を抑制することが可能になる。
【００４８】
（光ファイバ監視システム１の動作）
図１（ａ）に示すように、局舎間光ファイバ４が未使用状態であるときには、光源接続用光ファイバ９により光源パネル７（光源側光コネクタ差し込み口７１）と第１の可視化パネル５（第２の光コネクタ差し込み口５２）とを接続し、第２の可視化パネル６の第４の光コネクタ差し込み口６２は開放状態としておく。これにより、光源パネル７からの監視光が第１の可視化パネル５、局舎間光ファイバ４を介して第２の可視化パネル６に到達することになる。また、このとき、第１の可視化パネル５の第１の光検知部５５にて検知された監視光（漏洩光）の光量、及び第２の可視化パネル６の第２の光検知部にて検知された監視光（漏洩光）の光量が、監視装置１１へと送信される。監視装置１１で第１及び第２の可視化パネル６で検知した光量を監視することにより、局舎間光ファイバ４の健全性を常時監視することが可能である。
【００４９】
局舎間光ファイバ４を未使用状態から使用状態に切替える際には、図１（ｂ）に示すように、第１の局舎２において、光源接続用光ファイバ９を抜去して、第１の可視化パネル５（第２の光コネクタ差し込み口５２）と中継パネル８（可視化パネル側光コネクタ差し込み口８２）とを実回線接続用光ファイバ１０により接続する。また、第２の局舎３において、第２の可視化パネル６（第４の光コネクタ差し込み口６２）と中継パネル１５（可視化パネル側光コネクタ差し込み口１５２）とを実回線接続用光ファイバ１６により接続する。これにより、両局舎の局舎内配線同士が、第１の可視化パネル５、局舎間光ファイバ４、第２の可視化パネル６を介して接続され、当該回線の使用が開始される。本実施の形態に係る光ファイバ監視システム１では、回線の使用中にも光量の検出を継続して行うことが可能であり、監視装置１１にて局舎間光ファイバ４における不具合の発生や通信の有無を一括して監視することが可能である。
【００５０】
（実施の形態の作用及び効果）
以上説明したように、本実施の形態に係る光ファイバ監視システム１では、第１の局舎２に設けられ、局舎間光ファイバ４の一端が光学的に接続されている第１の可視化パネル５と、第２の局舎３に設けられ、局舎間光ファイバ４の他端が光学的に接続されている第２の可視化パネル６と、第１の局舎２に設けられ、局舎間光ファイバ４に監視光を入射するための監視用光源７２と、を備え、第１の可視化パネル５は、監視用光源７２から局舎間光ファイバ４に入射される監視光の一部を漏洩させ、漏洩光の光量を検知する第１の光検知部５５を有し、第２の可視化パネル６は、局舎間光ファイバ４からの光の一部を漏洩させ、漏洩光の光量を検知する第２の光検知部を有している。
【００５１】
このように構成することで、未使用状態（在庫状態）の局舎間光ファイバ４の健全性（不具合の有無）を常時監視することが可能になる。これにより、作業者が第１及び第２の局舎２，３に赴かずとも局舎間光ファイバ４の健全性を確認することが可能になり、局舎間光ファイバ４の検査が容易になる。
【００５２】
また、光ファイバ監視システム１によれば、可視化パネル５，６への光ファイバ９，１０，１６の接続替え作業のみで局舎間光ファイバ４を未使用状態から使用状態へ切り替えることが可能であり、回線の使用を開始する作業（開通作業）が容易である。
【００５３】
さらに、局舎間光ファイバ４を使用状態とした後においても、通信光の状態（使用状態の局舎間光ファイバ４の健全性）を監視する光ファイバ監視システム１として引き続き使用できる。
【００５４】
（変形例）
上記実施の形態では、回線数（第１の光コネクタ差し込み口５１を介して第１の可視化パネル５に接続される局舎間光ファイバ４の数）と同数の監視用光源７２を用いる場合を説明した。この場合、図５（ａ）に示すように、光源パネル７においては、１つの監視用光源７２が１つの光源側光コネクタ差し込み口７１に光学的に接続されることとなり、光源側光コネクタ差し込み口７１と監視用光源７２とが１対１で対応することになる。ただし、監視用光源７２の数は回線数と同数に限定されるものではなく、監視用光源７２の数を回線数より少なくして、低コスト化を図ってもよい。
【００５５】
例えば、図５（ｂ）に示すように、監視用光源７２からの監視光を複数の第２の光コネクタ差し込み口５２に分配する光分配器（スプリッタ）７３を備えてもよい。図５（ｂ）では、光分配器７３を内蔵した光源パネル７ａを用い、光源パネル７ａの内部にて、監視用光源７２からの監視光を複数（ここでは４つ）の光源側光コネクタ差し込み口７１に分配する場合を示しているが、光分配器７３は光源パネル７と第１の可視化パネル５との間に備えられていてもよい。
【００５６】
また、図５（ｃ）に示すように、監視用光源７２の数を回線数より少なくし、監視用光源７２と複数の第２の光コネクタ差し込み口５２の光結合先を切替える光スイッチ７４を備えてもよい。図５（ｃ）では、光スイッチ７４を内蔵した光源パネル７ｂを用い、光源パネル７ｂの内部にて、光スイッチ７４により監視用光源７２と複数（ここでは４つ）の光源側光コネクタ差し込み口７１の結合先を切り替える場合を示しているが、光スイッチ７４は、光源パネル７と第１の可視化パネル５との間に備えられていてもよい。
【００５７】
さらに、上記実施の形態では、第１の可視化パネル５と別体に光源パネル７を備えた場合を説明したが、第１の可視化パネル５に監視用光源７２を内蔵してもよい。
【００５８】
さらにまた、上記実施の形態では、回線使用開始時に、光源接続用光ファイバ９を抜去して実回線接続用光ファイバ１０を接続する接続切替作業を手動で行ったが、この接続切替作業を自動化してもよい。
【００５９】
この場合、図６に示すように、第１の局舎２に、第２の光コネクタ差し込み口５２を監視用光源７２と光学的に接続するか、あるいは、第２の光コネクタ差し込み口５２を第１の局舎２の実回線（局舎内配線）に接続するかを切替可能な光スイッチ７６をさらに備えるとよい。図６では、一例として、この光スイッチ７６を光源パネル７内に搭載した場合を示している。
【００６０】
光スイッチ７６を光源パネル７内に搭載する場合、光源パネル７に、中継パネル８から延びる実回線接続用光ファイバ１０の一端の光コネクタ１０１を接続する実回線接続用光ファイバ差し込み口７５を設け、光源側光コネクタ差し込み口７１と監視用光源７２とを光学的に接続するか、あるいは、光源側光コネクタ差し込み口７１と実回線接続用光ファイバ差し込み口７５とを光学的に接続するかを切り替え可能に光スイッチ７６を構成するとよい。
【００６１】
図６の例では、光スイッチ７６により光源側光コネクタ差し込み口７１と監視用光源７２とを光学的に接続すると、監視用光源７２からの監視光が、光源接続用光ファイバ９を介して第１の可視化パネル５の第２の光コネクタ差し込み口５２に入射される。また、光スイッチ７６により光源側光コネクタ差し込み口７１と実回線接続用光ファイバ差し込み口７５とを光学的に接続すると、実回線接続用光ファイバ１０の一端が光源接続用光ファイバ９を介して第１の可視化パネル５の第２の光コネクタ差し込み口５２に光学的に接続されることとなり、第１の局舎２の実回線（局舎内配線）と局舎間光ファイバ４とが、光源パネル７と第１の可視化パネル５とを介して光学的に接続されることになる。なお、光スイッチ７６は光源パネル７に内蔵されていなくともよく、例えば独立したパネルとして第１のラック２１に設置されていてもよい。また、光スイッチ７６は、監視装置１１により切替制御を行えるように構成されてもよい。光スイッチ７６を備えることで、回線使用開始時に光ファイバ９，１０の抜き差しを行う作業が不要となり、利便性の向上を図ることが可能になる。
【００６２】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００６３】
［１］第１の局舎（２）と第２の局舎と（３）を接続する局舎間光ファイバ（４）を監視する光ファイバ監視システム（１）であって、前記第１の局舎（２）に設けられ、前記局舎間光ファイバ（４）の一端が光学的に接続されている第１の可視化パネル（５）と、前記第２の局舎（３）に設けられ、前記局舎間光ファイバ（４）の他端が光学的に接続されている第２の可視化パネル（６）と、前記第１の局舎（２）に設けられ、前記局舎間光ファイバ（４）に監視光を入射するための監視用光源（７２）と、を備え、前記第１の可視化パネル（５）は、前記監視用光源（７２）から前記局舎間光ファイバ（４）に入射される監視光の一部を漏洩させ、漏洩光の光量を検知する第１の光検知部（５５）を有し、前記第２の可視化パネル（６）は、前記局舎間光ファイバ（４）からの光の一部を漏洩させ、漏洩光の光量を検知する第２の光検知部を有している、光ファイバ監視システム（１）。
【００６４】
［２］前記第１の可視化パネル（５）は、前記局舎間光ファイバ（４）の一端の光コネクタ（４１）が接続される複数の第１の光コネクタ差し込み口（５１）を有し、前記第１の光コネクタ差し込み口（５１）を介して前記第１の可視化パネル（５）に接続される前記局舎間光ファイバ（４）と同数の複数の前記監視用光源（７２）を備えている、［１］に記載の光ファイバ監視システム（１）。
【００６５】
［３］前記第１の可視化パネル（５）は、前記局舎間光ファイバ（４）の一端の光コネクタ（４１）が接続される複数の第１の光コネクタ差し込み口（５１）と、前記第１の光コネクタ差し込み口（５１）と光学的に接続された複数の第２の光コネクタ差し込み口（５２）と、を有し、前記監視用光源（７２）の数が、前記第１の光コネクタ差し込み口（５１）を介して前記第１の可視化パネル（５）に接続される前記局舎間光ファイバ（４）の数よりも少なく、前記監視用光源（７２）からの監視光を複数の前記第２の光コネクタ差し込み口（５２）に分配する光分配器を備えた、［１］に記載の光ファイバ監視システム（１）。
【００６６】
［４］前記第１の可視化パネル（５）は、前記局舎間光ファイバ（４）の一端の光コネクタ（４１）が接続される複数の第１の光コネクタ差し込み口（５１）と、前記第１の光コネクタ差し込み口（５１）と光学的に接続された複数の第２の光コネクタ差し込み口（５２）と、を有し、前記監視用光源（７２）の数が、前記第１の光コネクタ差し込み口（５１）を介して前記第１の可視化パネル（５）に接続される前記局舎間光ファイバ（９）の数よりも少なく、前記監視用光源（７２）からの監視光と複数の前記第２の光コネクタ差し込み口（５２）の光結合先を切替える光スイッチを備えた、［１］に記載の光ファイバ監視システム（１）。
【００６７】
［５］前記第１及び第２の可視化パネル（５，６）で検出した漏洩光の光量を基に、前記局舎間光ファイバ（４）の状態を監視する監視装置（１１）を備え、前記第１及び第２の可視化パネル（５，６）は、通信ケーブルが接続される通信ポート（５４３）と、前記通信ポート（５４３）を介して漏洩光の光量の信号を前記監視装置（１１）に送信する送信部（５４２）と、をそれぞれ有する、［１］乃至［４］の何れか１項に記載の光ファイバ監視システム（１）。
【００６８】
［６］前記第１の局舎（２）内に設置された第１のラック（２１）を備え、前記第１のラック（２１）に、前記第１の可視化パネル（５）と、前記監視用光源（７２）を搭載した光源パネル（７）と、が設置されている、［１］乃至［５］の何れか１項に記載の光ファイバ監視システム（１）。
【００６９】
［７］前記第１のラック（２１）に、前記第１の可視化パネル（５）に接続される光ファイバ（９，１０）の配線を整えるための整線パネル（１２）が設置されている、［６］に記載の光ファイバ監視システム（１）。
【００７０】
［８］前記第１の可視化パネル（５）は、前記局舎間光ファイバ（４）の一端の光コネクタ（４１）が接続される複数の第１の光コネクタ差し込み口（５１）と、前記第１の光コネクタ差し込み口（５１）と光学的に接続された複数の第２の光コネクタ差し込み口（５２）と、を有し、前記第１の局舎（２）に設けられ、前記第２の光コネクタ差し込み口（５２）を前記監視用光源（７２）と光学的に接続するか、あるいは、前記第２の光コネクタ差し込み口（５２）を前記第１の局舎（２）の実回線に接続するかを切替可能な光スイッチをさらに備えた、［１］乃至［７］の何れか１項に記載の光ファイバ監視システム（１）。
【００７１】
［９］前記第２の局舎（３）に設けられ、前記局舎間光ファイバ（４）から前記第２の可視化パネル（６）を介して出力された監視光の光量の初期値を測定するための初期値測定用光パワーメータ（１４）をさらに備えた、［１］乃至［８］の何れか１項に記載の光ファイバ監視システム（１）。
【００７２】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。また、本発明は、その趣旨を逸脱しない範囲で適宜変形して実施することが可能である。
【符号の説明】
【００７３】
１…光ファイバ監視システム
２…第１の局舎
２１…第１のラック
３…第２の局舎
３１…第２のラック
４…局舎間光ファイバ
４１，４２…光コネクタ
５…第１の可視化パネル
５１…第１の光コネクタ差し込み口
５２…第２の光コネクタ差し込み口
５５…第１の光検知部
６…第２の可視化パネル
６１…第３の光コネクタ差し込み口
６２…第４の光コネクタ差し込み口
７…光源パネル
７１…光源側光コネクタ差し込み口
７２…監視用光源
８，１５…中継パネル
９…光源接続用光ファイバ
１０，１６…実回線接続用光ファイバ
１１…監視装置
１２…整線パネル
１３，１７…ネットワークスイッチ
【図１】
2018072281.tif 000003
【図２】
2018072281.tif 000004
【図３】
2018072281.tif 000005
【図４】
2018072281.tif 000006
【図５】
2018072281.tif 000007
【図６】
2018072281.tif 000008